(57)【要約】【課題】利用するカード情報を容易に選択できるようにする。【解決手段】ＩＣカード５から読取った磁気ストライプ情報に含まれるカード識別情報に基づいて記憶部１４に記憶された利用可能カード情報を検索して一致するカード識別情報に関連付けられたサービス種別を抽出し、そのサービス種別を選択するためのサービス選択入力操作手段を表示し、さらにそのサービス選択入力操作手段で選択された取引を行うことができる磁気ストライプ情報を選択するためのカード選択入力操作手段を表示するようにした。【選択図】        図１
2008242783.tif 000002
【特許請求の範囲】
【請求項１】
複数のカードのカード情報が記録されたＩＣカードからそのカード情報を読み取るカード部と、読み取ったカード情報に対応付けたカード選択入力操作手段を表示し、そのカード選択入力操作手段の選択操作を受け付ける顧客操作表示部とを備え、そのカード選択入力操作手段で選択されたカード情報に基づいて取引を行う自動取引システムにおいて、
カード情報に含まれるカード識別情報およびそのカード情報で可能な取引を示すサービス種別で構成される利用可能サービス情報を記憶した記憶部と、
ＩＣカードから読取ったカード情報に含まれるカード識別情報に基づいて前記記憶部に記憶された利用可能サービス情報を検索して利用可能なサービス種別を抽出し、そのサービス種別を選択するためのサービス選択入力操作手段を表示し、そのサービス選択入力操作手段で選択された取引を行うことができるカード情報を選択するためのカード選択入力操作手段を表示させるカード情報利用部とを設け、
前記カード選択入力操作手段の押下を受け付けたとき、選択された前記カード磁気ストライプ情報に基づいて取引を行うようにしたことを特徴とする自動取引システム。
【請求項２】
請求項１の自動取引システムにおいて、
前記カード情報を、磁気ストライプ情報としたことを特徴とする自動取引システム。
【発明の詳細な説明】
【技術分野】
【０００１】
本発明は、金融機関等の店舗やコンビニエンスストア等に設置され、顧客の操作によるＩＣカードの挿入を受け付けて各種取引を行う自動取引装置からなる自動取引システムに関する。
【背景技術】
【０００２】
従来の自動取引装置は、複数のカード情報を１枚の磁気ストライプ付カードやＩＣチップを内蔵したＩＣカードに記録した多機能カードからすべてのカード情報を一度に読取り、読取ったカード情報を選択するための操作ボタンを表示部に並べて表示させ、顧客に選択させるようにしている（例えば、特許文献１参照）。
【特許文献１】特開平７−３３４６３３号公報（段落「００１８」〜段落「００２０」、図４）
【発明の開示】
【発明が解決しようとする課題】
【０００３】
しかしながら、上述した従来の技術においては、ＩＣカード等に記録されたカード情報の数が多くなるとそのカード情報を選択するために表示される操作ボタンも多くなり、またその操作ボタンは登録順に表示されることが多く、顧客は希望するカード情報を選択する操作に時間がかかってしまうという問題がある。
本発明は、このような問題を解決することを課題とする。
【課題を解決するための手段】
【０００４】
そのため、本発明は、複数のカードのカード情報が記録されたＩＣカードからそのカード情報を読み取るカード部と、読み取ったカード情報に対応付けたカード選択入力操作手段を表示し、そのカード選択入力操作手段の選択操作を受け付ける顧客操作表示部とを備え、そのカード選択入力操作手段で選択されたカード情報に基づいて取引を行う自動取引システムにおいて、カード情報に含まれるカード識別情報およびそのカード情報で可能な取引を示すサービス種別で構成される利用可能サービス情報を記憶した記憶部と、
ＩＣカードから読取ったカード情報に含まれるカード識別情報に基づいて前記記憶部に記憶された利用可能サービス情報を検索して利用可能なサービス種別を抽出し、そのサービス種別を選択するためのサービス選択入力操作手段を表示し、そのサービス選択入力操作手段で選択された取引を行うことができるカード情報を選択するためのカード選択入力操作手段を表示させるカード情報利用部とを設け、前記カード選択入力操作手段の押下を受け付けたとき、選択された前記カード磁気ストライプ情報に基づいて取引を行うようにしたことを特徴とする。
【発明の効果】
【０００５】
このようにした本発明は、顧客は容易に利用するカード情報を選択することができ、顧客の利便性を向上させることができるという効果が得られる。
【発明を実施するための最良の形態】
【０００６】
以下、図面を参照して本発明による自動取引システムの実施例を説明する。
【実施例】
【０００７】
図１は実施例における自動取引システムおよび自動取引装置の構成を示すブロック図である。
図１において、１は自動取引装置であり、銀行等の金融機関の店舗またはコンビニエンスストア等の店舗等に設置されるものである。この自動取引装置１は顧客の操作により現金引出しや現金入金、振込み、キャッシング、ローン返済、リボルビング返済等の取引ができるものである。また、通信回線２に通信可能に接続されている。
【０００８】
５はＩＣカードであり、ＩＣチップ等の記憶素子を備えたものである。このＩＣカード５は自動取引装置１を使用するそれぞれの顧客が所持するものであり、予めその顧客の口座番号等の口座情報およびＩＣカード毎に一意に付与されたＩＣカードＩＤ情報等を記憶したものである。
また、このＩＣカード５は、銀行キャッシュカードやクレジットカード等の磁気ストライプに記録された顧客の口座番号等の口座情報や振込カードの磁気ストライプに記録された振込先口座番号等の振込先情報等をその記憶素子に記憶させる、すなわち、カードの磁気ストライプに記録された情報（以下、「カード磁気ストライプ情報」という。）等ををカード情報として登録することができるものである。
【０００９】
このＩＣカード５の記憶素子は充分な記憶容量を有し、複数枚のカードのカード磁気ストライプ情報を記憶することができるものとする。
通信回線２には銀行等の金融機関の事務センタ等に設置される自動取引装置１の上位装置である図示しないホストコンピュータが接続されている。このホストコンピュータはＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段である制御部、磁気ディスク、半導体メモリ等の記憶手段である記憶部および通信手段である通信部等を備えるものであり、通信回線２を介して自動取引装置１等と相互に通信可能に接続されている。
【００１０】
また、このホストコンピュータは自動取引装置１との間で現金引出し、現金入金、振込み等の取引電文の送受信を行い顧客の取引を成立させるか否かを判断するとともにその取引の処理を行う。さらに、顧客の口座番号と顧客の暗証番号等で本人であるか否かの本人認証も行う。
このように自動取引システムは自動取引装置１、ＩＣカード５、および図示しないホストコンピュータ等で構成されている。
【００１１】
次に、自動取引装置１の構成を説明する。
１１は顧客操作表示部であり、タッチパネル等の操作部および液晶ディスプレイ等の表示部で構成されたものである。この顧客操作表示部１１はＣＲＴディスプレイや液晶ディスプレイ等の表示部上にタッチパネルを配置し顧客が行う入力操作等を検知するものであり、また、取引選択画面、顧客が選択した取引に対して顧客の入力操作等の誘導を行う画面および入力された情報等を表示するものである。
【００１２】
顧客操作表示部１１で検知した入力操作等は後述する制御部に信号を出力して通知する。
１２はカード部であり、カード読取り書込み機構およびカード搬送機構等を備えたものである。このカード部１２は、ＩＣカードリードライト部１２１および磁気カードリードライト部１２２で構成され、ＩＣカードリードライト部１２１は顧客の操作によりカード挿入返却口に挿入する（接触型ＩＣカードの場合）、または、読み書き面に近づける（非接触型ＩＣカードの場合）ことによりＩＣカード５の記憶素子から情報を読取り、また、任意の情報を記憶させることができ、磁気カードリードライト部１２２は顧客の操作によりカード挿入返却口に挿入されたカードの磁気ストライプから記録された情報を読取り、また、任意の情報を記録することができる。
【００１３】
なお、以下の説明は、接触型ＩＣカードを用いたものとして説明する。
情報の読取りまたは書込みが終了したカードはカード挿入返却口から排出して顧客に返却する。このカード挿入返却口はカードの挿入を検知する機構およびカードの受取りを検知する機構を設けたものである。
１３は入出金部であり、紙幣入出金機および硬貨入出金機で構成されたものである。この入出金部１３は現金引出し取引や現金入金取引に伴う紙幣や硬貨の入出金処理を行う。ここで、入金処理とは顧客が入出金口に入れた紙幣を紙幣入出金機で計数して金庫に収納し、入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し入出金口に搬送して顧客に払い出すことである。
【００１４】
この入出金口は挿入された紙幣ならびに硬貨を検知する機構および搬送された紙幣ならびに硬貨の受取りを検知する機構を設けたものである。
なお、入出金部１３は紙幣入出金機および硬貨入出金機で構成されたものに限られることなく、紙幣入出金機のみで構成されたものであってもよく、さらに、この入出金部１３を備えないものであってもよい。
【００１５】
１４は記憶部であり、半導体メモリや磁気ディスク等で構成され情報を記憶し、記憶した情報を読取ることができるものである。この記憶部１４には自動取引装置１全体の動作を制御する制御プログラム（ソフトウェア）、顧客操作表示部１１に表示する画面データおよび顧客が行う取引に必要な情報等を記憶し、また、この自動取引装置１で取り扱い可能なカードであることを識別するためのカード識別情報等で構成される利用可能カード情報を記憶する。
【００１６】
１５は制御部であり、ＣＰＵ等の演算および制御手段等で構成されたものである。この制御部１５は顧客操作表示部１１、カード部１２、入出金部１３、記憶部１４および通信制御を行う通信部を含めて自動取引装置１全体の動作を記憶部１４に格納された制御プログラム（ソフトウェア）に基づいて制御する。
また、制御部１５はカード情報書込部１５１およびカード情報利用部１５２を有し、カード情報書込部１５１はカードの磁気ストライプ等から読み取ったカード磁気ストライプ情報をＩＣカード５の記憶素子に記憶させ、また、カード情報利用部１５２はＩＣカード５から読み取った情報に基づいて取引を実行する。
【００１７】
さらに、カード情報利用部１５２はカード情報取得手段１５３およびカード情報比較手段１５４で構成され、カード情報取得手段１５３はカード部１２のＩＣカードリードライト部１２１を介してＩＣカード５に登録されているカード磁気ストライプ情報を読み出し、カード情報比較手段１５４はＩＣカード５から読み出したカード磁気ストライプ情報に基づいて記憶部１４に記憶された利用可能カード情報を検索し、そのカード磁気ストライプ情報による取引の可否等を判定する。
【００１８】
なお、制御部１５は日時や時刻等を計測する手段であるカレンダーおよび時計機能等も有している。
図２は実施例におけるＩＣカード５に記憶する情報の説明図である。
図２において、２１は管理情報であり、通番等の管理番号を記憶するものである。
２２はカード情報であり、銀行キャッシュカードやクレジットカード等の磁気ストライプに記録された顧客の口座番号等の口座情報や振込カードの磁気ストライプに記録された振込先口座番号等の振込先情報等のカード磁気ストライプ情報を記憶するものである。
【００１９】
管理情報２１およびカード情報２２はカード毎に記憶され、複数のカードから読取ったカード磁気ストライプ情報を記憶することができるものとする。
図３は実施例における利用可能カード情報の説明図である。
この利用可能カード情報は上述したとおり自動取引装置１で取り扱うことができるカードを識別するための情報であり、自動取引装置１の記憶部１４に記憶されるものである。
【００２０】
図３において、３１はカード識別情報であり、カードから読取ったカード磁気ストライプ情報に含まれ、普通預金口座または総合預金口座を扱う銀行キャッシュカードや信販会社等が発行するクレジットカード等のカードの種類毎に付与された情報であり、自動取引装置１で取り扱うことが可能なカード（カード磁気ストライプ情報）を識別するための情報を格納するものである。
【００２１】
３２は金融機関名称であり、カード識別情報３１に対応させてそのカードの発行元である金融機関の名称、例えば「Ａ銀行」、「Ｂクレジット」等の金融機関の名称を格納したものである。
３３はサービス種別であり、カード識別情報３１で識別されるカード（カード磁気ストライプ情報）で可能な取引の種類、すなわち顧客に提供することができるサービスの種類を利用可能サービス情報として格納したものである。例えば現金を融資する「キャッシング」や「カードローン」、融資した現金を返済する「ローン返済」や「リボ返済」等のサービスの種類を格納する。
【００２２】
このカード識別情報３１、金融機関名称３２、およびサービス種別３３はカード（カード磁気ストライプ情報）毎に記憶され、自動取引装置１で取り扱うことができる複数の種類のカードについて記憶することができるものとする。
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
【００２３】
まず、自動取引装置１で行うカード磁気ストライプ情報をＩＣカード５に登録する処理を説明する。
図４は実施例におけるカードデータの登録処理を示すフローチャートであり、図中Ｓで表すステップにしたがって説明する。
Ｓ１ａ：図示しない近接センサにより顧客の接近を検知すると自動取引装置１の顧客操作表示部１１は図５に示す取引選択画面を表示する。この取引選択画面は、「いらっしゃいませ  ご希望のお取引を押してください」等の文言および「外貨預金」、「データ登録」、「入金」、「支払」等の取引選択ボタンから構成されるものである。
【００２４】
Ｓ２ａ：顧客により「データ登録」の取引選択ボタンが押下されるものとする。
Ｓ３ａ：「データ登録」の取引選択ボタンの押下を検知すると制御部１５は図６に示すＩＣカード挿入誘導画面を表示する。このＩＣカード挿入誘導画面は「ＩＣキャッシュカードをお入れください。」等の文言、取引選択画面に戻す「取消」ボタンおよびカードのイラスト等で構成されたものである。顧客はこのＩＣカード挿入誘導画面にしたがって所持するＩＣカード５をカード挿入返却口から挿入するものとする。
【００２５】
カード部１２は顧客により挿入されたＩＣカード５を引き込み、ＩＣカードリードライト部１２１により顧客の口座番号等の口座情報を読取る。
また、ＩＣカード５が挿入されると顧客操作表示部１１は図７に示す顧客の暗証番号の入力を受け付ける暗証番号入力画面を表示する。この暗証番号入力画面には「１」から「９」および「０」ボタン等で構成されるテンキーおよび取引を中断させる「取消」ボタン、テンキーにより入力した暗証番号を訂正する「訂正」ボタン等の操作ボタンを表示する。顧客操作表示部１１が暗証番号入力画面を表示すると顧客は表示されたテンキー等の操作ボタンを押下して暗証番号を入力する。顧客が暗証番号を入力すると制御部１５は通信部を介してその暗証番号をカードから読取った口座番号等とともにホストコンピュータへ送信する。このとき、顧客操作表示部１１は図８に示す通信画面を表示するものとする。この通信画面は、「ホスト通信中（ＩＣカード承認中）」等の文言で構成されるものである。
【００２６】
Ｓ４ａ：ホストコンピュータは受信した顧客の口座番号に基づいて図示しない顧客データベースを検索し暗証番号を抽出し、受信した暗証番号と比較して一致するか否かの照合、つまり、本人認証を行う。ホストコンピュータは通信部を介してその結果を自動取引装置１へ送信する。
Ｓ５ａ：本人認証の結果、本人であることが確認できると顧客操作表示部１１は図９に示す登録カード挿入誘導画面を表示する。この登録カード挿入誘導画面は「登録したいキャッシュカードまたは振込カードをお入れください。」等の文言、取引を中断する「取消」ボタンおよびカードのイラスト等で構成されるものである。顧客は登録カード挿入誘導画面にしたがってカードを挿入するものとする。
【００２７】
Ｓ６ａ：カードの挿入を受け付けると磁気カードリードライト部１２２は挿入されたカードの磁気ストライプを読み取り、そのカードがキャッシュカードまたは振込カードであるかを判定する。ここで、キャッシュカードまたは振込カードの判定は磁気カードリードライト部１２２がカードを読取る記録形式の差異で判定するものとする。例えば、始め符号、終り符号、チェックサム等の記録形式の差異で判定する。
【００２８】
Ｓ７ａ：挿入されたカードがキャッシュカードと判定された場合、顧客操作表示部１１は図１０に示す顧客の暗証番号の入力を受け付ける暗証番号入力画面を表示する。この暗証番号入力画面には「１」から「９」および「０」ボタン等で構成されるテンキーおよび取引を中断させる「取消」ボタン、テンキーにより入力した暗証番号を訂正する「訂正」ボタン等の操作ボタンおよび「登録するキャッシュカードの暗証番号を押してください。」等の文言を表示する。顧客操作表示部１１が暗証番号入力画面を表示すると顧客は表示されたテンキー等の操作ボタンを押下して暗証番号を入力する。顧客が暗証番号を入力すると制御部１５は通信部を介してその暗証番号をカードから読取った口座番号等とともにホストコンピュータへ送信する。このとき、顧客操作表示部１１は図１１に示す通信画面を表示するものとする。この通信画面は、「ホスト通信中（登録カード承認中）」等の文言で構成されるものである。
【００２９】
ホストコンピュータは受信した顧客の口座番号に基づいて図示しない顧客データベースを検索し暗証番号を抽出し、受信した暗証番号と比較して一致するか否かの照合、つまり、本人認証を行う。ホストコンピュータは通信部を介してその結果を自動取引装置１へ送信する。
Ｓ８ａ：本人認証の結果、本人であることが確認できるとカード情報書込部１５１の指示によりＩＣカードリードライト部１２１はキャッシュカードから読取ったカード磁気ストライプデータ（カード磁気ストライプ情報）とともにそのカード磁気ストライプデータをＩＣカード５に書込むことを指示する電文を送信する。ＩＣカード５は受信したカード磁気ストライプデータをカード情報２２に記憶させるとともに付与した管理番号を管理情報２１に記憶させる。
【００３０】
Ｓ９ａ：ＩＣカード５にカード磁気ストライプデータが書き込まれると制御部１５の指示によりカード部１２はキャッシュカードを顧客に返却するとともに図１２に示すキャッシュカード受取り誘導画面を表示し、処理をＳ１２ａへ移行させる。このキャッシュカード受取り誘導画面は「キャッシュカードをお受け取りください。」等の文言およびカードのイラスト等で構成されたものである。
【００３１】
なお、Ｓ７ａ〜Ｓ９ａではキャッシュカードのカード磁気ストライプデータをＩＣカード５に記憶させる例で説明したがクレジットカードのカード磁気ストライプデータもＩＣカード５に同様に記憶させることができる。
Ｓ１０ａ：一方、Ｓ６ａにおいて挿入されたカードが振込カードと判定された場合、カード情報書込部１５１の指示によりＩＣカードリードライト部１２１は振込カードから読取ったカード磁気ストライプデータとともにそのカード磁気ストライプデータをＩＣカード５に書込むことを指示する電文を送信する。ＩＣカード５は受信したカード磁気ストライプデータをカード情報２２に記憶させるとともに付与した管理番号を管理情報２１に記憶させる。
【００３２】
Ｓ１１ａ：ＩＣカード５にカード磁気ストライプデータが書き込まれると制御部１５の指示によりカード部１２は振込カードを顧客に返却するとともに図１３に示す振込カード受取り誘導画面を表示する。この振込カード受取り誘導画面は「振込カードをお受け取りください。」等の文言およびカードのイラスト等で構成されたものである。
Ｓ１２ａ：Ｓ９ａまたはＳ１１ａで返却されたカードを顧客が受取ると制御部１５の指示によりカード部１２はＩＣカード５を顧客に返却するとともに図１４に示すＩＣカード受取り誘導画面を表示する。この振込カード受取り誘導画面は「ＩＣキャッシュカードをお受け取りください。ありがとうございました。」等の文言およびカードのイラスト等で構成されたものである。
【００３３】
このようにしてカード磁気ストライプ情報をＩＣカード５に登録する。
次に、カード磁気ストライプ情報を登録したＩＣカード５を使用した取引について説明する。
図１５は実施例における登録カードの利用処理を示すフローチャートであり、図中Ｓで表すステップにしたがって説明する。
【００３４】
Ｓ１ｂ：図示しない近接センサにより顧客の接近を検知すると自動取引装置１の顧客操作表示部１１は図１６に示す取引選択画面を表示する。この取引選択画面は、「いらっしゃいませ  ご希望のお取引を押してください」等の文言および「外貨預金」、「データ登録」、「入金」、「支払」、「他カード機能利用」等の取引選択ボタンから構成されるものである。
【００３５】
Ｓ２ｂ：顧客により「他カード機能利用」の取引選択ボタンが押下されるものとする。
Ｓ３ｂ：「他カード機能利用」の取引選択ボタンの押下を検知すると制御部１５は図６に示すＩＣカード挿入誘導画面を表示する。顧客はこのＩＣカード挿入誘導画面にしたがって所持するＩＣカード５をカード挿入返却口から挿入するものとする。
カード部１２は顧客により挿入されたＩＣカード５を引き込み、ＩＣカードリードライト部１２１により顧客の口座番号等の口座情報を読取る。
【００３６】
また、ＩＣカード５が挿入されると顧客操作表示部１１は図７に示す顧客の暗証番号の入力を受け付ける暗証番号入力画面を表示する。顧客操作表示部１１が暗証番号入力画面を表示すると顧客は表示されたテンキー等の操作ボタンを押下して暗証番号を入力する。顧客が暗証番号を入力すると制御部１５は通信部を介してその暗証番号をカードから読取った口座番号等とともにホストコンピュータへ送信する。このとき、顧客操作表示部１１は図８に示す通信画面を表示するものとする。
【００３７】
Ｓ４ｂ：ホストコンピュータは受信した顧客の口座番号に基づいて図示しない顧客データベースを検索し暗証番号を抽出し、受信した暗証番号と比較して一致するか否かの照合、つまり、本人認証を行う。ホストコンピュータは通信部を介してその結果を自動取引装置１へ送信する。
Ｓ５ｂ：本人認証の結果、本人であることが確認できるとカード情報利用部１５２はカード情報取得手段１５３によりＩＣカードリードライト部１２１を介してＩＣカード５に記憶されたすべてのカード情報２２を読取る。
【００３８】
Ｓ６ｂ、Ｓ７ｂ：カード情報取得手段１５３によりＩＣカード５に記憶されたカード情報２２を読取るとカード情報比較手段１５４は読取ったカード情報２２に含まれるカード識別情報に基づいて記憶部１４に記憶した利用可能カード情報のカード識別情報３１を検索する。一致するカード識別情報が存在したときカード情報比較手段１５４はＩＣカード５を利用することが可能であると判定する。また、カード情報比較手段１５４は一致するカード識別情報３１に対応する金融機関名称３２およびサービス種別３３を抽出する。
【００３９】
本実施例では図３に示すようにカード識別情報３１が「ＹＹＹ１」、「ＹＹＹ２」、「ＹＹＹ３」、および「ＹＹＹ４」の金融機関名称３２ならびにサービス種別３３が抽出されるものとする。
なお、本実施例ではカード識別情報３１に対応する金融機関名称およびサービス種別を記憶部１４に記憶された利用可能カード情報を検索して抽出するようにしたが、図示しないホストコンピュータへ問い合わせるようにしてもよい。
【００４０】
Ｓ８ｂ：カード情報比較手段１５４が金融機関名称３２およびサービス種別３３を抽出すると制御部１５のカード情報利用部１５２の指示により顧客操作表示部１１は図１７に示す利用サービス選択画面を表示する。この利用サービス選択画面は「ご利用になるサービスを選択してください」等の文言およびサービスの名称を表示した「キャッシング」、「カードローン」、「ローン返済」、「リボ返済」等のサービス選択ボタン（サービス選択入力操作手段）で構成されるものである。
【００４１】
なお、このサービス選択ボタンは抽出したサービス種別３３に基づいて顧客が利用することができるすべてのサービスを表示するものとする。
Ｓ９ｂ：顧客は利用するサービス選択ボタンを押下するものとし、顧客操作表示部１１はその押下を受け付ける。
Ｓ１０ｂ：サービス選択ボタンの押下を受け付けると制御部１５のカード情報利用部１５２は選択されたサービスを提供することができるカード識別情報３１および金融機関名称３２を抽出し、その制御部１５のカード情報利用部１５２の指示により顧客操作表示部１１は図１８に示す利用カード選択画面を表示する。この利用カード選択画面は「ご利用機関を選択してください」等の文言および抽出された金融機関名称３２と選択されたサービスの名称を結合したカード選択ボタン（カード選択入力操作手段）で構成されるものである。
【００４２】
例えば、「キャッシング」のサービス選択ボタンが押下された場合、制御部１５のカード情報利用部１５２は図３に示すカード利用可能情報からサービス種別３３に「キャッシング」が存在するカード識別情報３１および金融機関名称３２を抽出し、図１８（ａ）に示すように「Ａ銀行キャッシング」、「Ｂクレジットキャッシング」、「Ｃ銀行キャッシング」等のカード選択ボタンを表示し、また「カードローン」のサービス選択ボタンが押下された場合、制御部１５のカード情報利用部１５２は図３に示すカード利用可能情報からサービス種別３３に「カードローン」が存在するカード識別情報３１および金融機関名称３２を抽出し、図１８（ｂ）に示すように「Ａ銀行カードローン」、「Ｂクレジットカードローン」、「Ｃ銀行カードローン」等のカード選択ボタンを表示するものとする。
【００４３】
なお、カード利用可能情報から抽出したカード識別情報３１は表示したカード選択ボタンに対応させて記憶部１４に記憶させておくものとする。
Ｓ１１ｂ：利用カード選択画面を表示すると顧客は希望するカード選択ボタンを押下するものとする。
Ｓ１２ｂ：制御部１５のカード情報利用部１５２は押下されたカード選択ボタンに対応させて記憶部１４に記憶させておいたカード識別情報３１を含むカード磁気ストライプ情報（ＩＣカード５から読み取ったカード情報２２）に基づいて取引を開始する。例えば、「Ａ銀行キャッシング」ボタンが押下された場合、Ａ銀行のキャッシュカードによるキャッシングの取引を行うものとし、「Ｂクレジットキャッシング」ボタンが押下された場合、Ｂクレジット会社によるキャッシングの取引を行うものとする。
【００４４】
ここで、自動取引装置１でＩＣカード５に記憶させた振込カードのカード情報を利用する場合、通常の振込み取引における振込先口座番号等の振込先の情報を入力する画面において、「ＩＣカード登録データの利用」等の選択ボタンを表示させ、その選択ボタンが押下されたとき登録されているすべての振込先情報を挿入されたＩＣカード５から読み込み画面にその一覧を操作ボタンとして表示する。
【００４５】
顧客が表示された振込先情報から希望する振込先の操作ボタンを選択して押下することにより、自動取引装置１の制御部１５等は通常の振込先情報の入力を省略し、ＩＣカード５から読み出した振込先情報にしたがって振込取引を行う。
以上説明したように、本実施例では、１枚のＩＣカードに多数のカード磁気ストライプ情報を記録させた場合であっても、顧客に利用するサービスの種類を選択させ、そのサービスを利用することができるカード磁気ストライプ情報を選択する利用カード選択画面を表示するようにしたことにより、顧客は容易に利用するカード磁気ストライプ情報を選択することができ、顧客の利便性を向上させることができるという効果が得られる。
【図面の簡単な説明】
【００４６】
【図１】実施例における自動取引システムおよび自動取引装置の構成を示すブロック図
【図２】実施例におけるＩＣカードに記憶する情報の説明図
【図３】実施例における利用可能カード情報の説明図
【図４】実施例におけるカードデータの登録処理を示すフローチャート
【図５】実施例における取引選択画面の説明図
【図６】実施例におけるＩＣカード挿入誘導画面の説明図
【図７】実施例における暗証番号入力画面の説明図
【図８】実施例における通信画面の説明図
【図９】実施例における登録カード挿入誘導画面の説明図
【図１０】実施例における暗証番号入力画面の説明図
【図１１】実施例における通信画面の説明図
【図１２】実施例におけるキャッシュカード受取り誘導画面の説明図
【図１３】実施例における振込カード受取り誘導画面の説明図
【図１４】実施例におけるＩＣカード受取り誘導画面の説明図
【図１５】実施例における登録カードの利用処理を示すフローチャート
【図１６】実施例における取引選択画面の説明図
【図１７】実施例における利用サービス選択画面の説明図
【図１８】実施例における利用カード選択画面の説明図
【符号の説明】
【００４７】
１    自動取引装置
２    通信回線
５    ＩＣカード
１１  顧客操作表示部
１２  カード部
１２１  ＩＣカードリードライト部
１２２  磁気カードリードライト部
１３  入出金部
１４  記憶部
１５  制御部
【図１】
2008242783.tif 000003
【図２】
2008242783.tif 000004
【図３】
2008242783.tif 000005
【図４】
2008242783.tif 000006
【図５】
2008242783.tif 000007
【図６】
2008242783.tif 000008
【図７】
2008242783.tif 000009
【図８】
2008242783.tif 000010
【図９】
2008242783.tif 000011
【図１０】
2008242783.tif 000012
【図１１】
2008242783.tif 000013
【図１２】
2008242783.tif 000014
【図１３】
2008242783.tif 000015
【図１４】
2008242783.tif 000016
【図１５】
2008242783.tif 000017
【図１６】
2008242783.tif 000018
【図１７】
2008242783.tif 000019
【図１８】
2008242783.tif 000020